(57)【要約】【課題】２つの分離部が形成された上シートに下シートが接着された配送伝票において、下シートの分離部に対向する領域を上シートに接着した状態で下シートを上シートから容易に剥離する。【解決手段】スリット２１のうち、伝票片１０上の配達証１２及び受領証１３の辺に沿うことによりスリット２１の内側に突出するように折り曲がる辺部が、その一部が配達証１２と受領証１３の辺に沿わず、配達証１２と受領証１３に沿わない部分がその一方の端部から他方の端部に向かって、配達証１２から徐々に遠ざかるとともに受領証１３に徐々に近づくように形成されている。【選択図】図１
2014140999.tif 000002
【特許請求の範囲】
【請求項１】
複数の分離部が形成された上シートと、前記複数の分離部の全てを囲むように当該複数の分離部の辺に沿って分離用切込が形成された下シートとが積層され、前記複数の分離部が、前記分離用切込が２つの前記分離部の辺に沿うことにより当該分離用切込にその内側に突出して折り曲がる辺部が生じるように形成され、前記上シートと前記下シートとが、前記上シートの前記分離用切込の外側に対向する領域と、前記上シートの前記分離用切込の内側に対向する領域であって前記複数の分離部以外の領域の一部とに積層された接着層によって互いに接着され、前記下シートの前記分離用切込の外側の領域が前記上シートから剥離可能に構成された配送伝票において、
前記分離用切込は、前記折り曲がる辺部においては、少なくとも一部が前記２つの分離部の辺に沿わず、当該２つの分離部に沿わない部分が、その一方の端部から他方の端部に向かって当該２つの分離部のうち一方の分離部から徐々に遠ざかるとともに他方の分離部に徐々に近づくように形成されていることを特徴とする配送伝票。
【発明の詳細な説明】
【技術分野】
【０００１】
本発明は、複数の分離部が形成され、配送物に貼付された後に分離部が分離される配送伝票に関する。
【背景技術】
【０００２】
従来より、配送物を配送する場合、配送物の配送元及び配送先の住所や氏名あるいは名称等の配送情報が記入された配送伝票が用いられ、配送伝票が配送物に貼付され、記入された配送情報に従って配送物が配送先に配送されている。
【０００３】
このような配送伝票としては、配送物に貼付される伝票片に、配送物が配送先に配送された後に配送業者が持ち帰る配達証が分離可能に区画形成されているものが用いられている。この配送伝票を用いた場合、配送物が配送先に配送されると、配達証に受領印が押下され、配達証が伝票片から分離されて配送業者によって持ち帰られることにより、配送物が配送先に配送されたことが管理されることになる。
【０００４】
上述したように配達証を伝票片から分離して持ち帰るためには、伝票片のうち配達証となる部分が配送物に貼着されていない状態としておく必要がある。そこで、伝票片のうち配達証となる部分のみ接着層を設けない構成とするとともに、伝票片が配送物に貼付される前の状態にて伝票片に剥離可能に接着されている剥離台紙に、配達証を分離可能とする切り取り線よりも大きな輪郭を有するスリットを形成し、剥離台紙のスリットの内側となる部分を伝票片とともに配送物に貼付する技術が考えられている（例えば、特許文献１参照。）。このように剥離台紙の一部を伝票片とともに配送物に貼付しておくことにより、配達証を伝票片から分離する際に配送物が汚れてしまうことを回避できるとともに、配達証を伝票片から分離した後に配送伝票の形状に違和感を感じにくくすることができる。また、剥離台紙のスリットの内側となる領域に情報を表示しておけば、配送伝票を用いて配送物の配送先に所望の情報を通知することができるようになる。
【先行技術文献】
【特許文献】
【０００５】
【特許文献１】特開２００５−１３２０１２号公報
【発明の概要】
【発明が解決しようとする課題】
【０００６】
上述したような配送伝票を用いた配送物の配送は、カタログやインターネットを用いた通信販売でも利用されている。通信販売においては、その商品の代金の支払いとして、クレジットカードや振り込み以外に、商品の受け取りと引き換えに代金を支払う、いわゆる代引きが利用されている。
【０００７】
代引きを利用可能とする配送においては、配送業者が商品の代金を受け取ったことを証明するための受領証が必要となる場合があり、上述したような伝票片に受領証を分離可能に区画形成しておくことが考えられる。その場合、伝票片には、配達証以外に受領証が分離可能に区画形成されることになるため、伝票片に２つの分離部が形成されることになる。そして、伝票片のうち２つの分離部となる部分のみ接着層を設けない構成とするとともに、伝票片が配送物に貼付される前の状態にて伝票片に剥離可能に接着されている剥離台紙に、２つの分離部を囲むようにスリットを形成し、剥離台紙のスリットの内側となる部分を伝票片とともに配送物に貼付する構成とすることにより、上記同様の効果を得ることができる。
【０００８】
ここで、上述したように、２つの分離部を囲むようにスリットを形成し、剥離台紙のスリットの内側となる部分を伝票片とともに配送物に貼付する場合、伝票片が配送物から不用意に剥がれないようにするために、スリットの内側の領域の面積をできるだけ狭くすることが好ましい。そのため、スリットは、２つの分離部の辺に沿って２つの分離部を囲むように形成することが好ましい。
【０００９】
ところで、上述した配達証と受領証のような２つの分離部は、互いに大きさが異なる場合があり、また、伝票片における配置位置がずれている場合もある。その場合、２つの分離部の辺に沿うようにスリットを形成すると、２つの分離部の大きさの相違や配置位置のずれによって、スリットがスリットの内側となる部分に突出するように折り曲がる辺部が存在することになる。そのため、剥離台紙のスリットの外側となる部分を伝票片から剥離する際、剥離台紙がこの辺部が折り曲がる角部にて破れてしまい、剥離台紙を伝票片から剥離する作業が煩雑になってしまうという問題点がある。
【００１０】
本発明は、上述したような従来の技術が有する問題点に鑑みてなされたものであって、２つの分離部が形成された上シートに下シートが接着された配送伝票において、下シートの分離部に対向する領域を上シートに接着した状態で下シートを上シートから容易に剥離することができる配送伝票を提供することを目的とする。
【課題を解決するための手段】
【００１１】
上記目的を達成するために本発明は、
複数の分離部が形成された上シートと、前記複数の分離部の全てを囲むように当該複数の分離部の辺に沿って分離用切込が形成された下シートとが積層され、前記複数の分離部が、前記分離用切込が２つの前記分離部の辺に沿うことにより当該分離用切込にその内側に突出して折り曲がる辺部が生じるように形成され、前記上シートと前記下シートとが、前記上シートの前記分離用切込の外側に対向する領域と、前記上シートの前記分離用切込の内側に対向する領域であって前記複数の分離部以外の領域の一部とに積層された接着層によって互いに接着され、前記下シートの前記分離用切込の外側の領域が前記上シートから剥離可能に構成された配送伝票において、
前記分離用切込は、前記折り曲がる辺部においては、少なくとも一部が前記２つの分離部の辺に沿わず、当該２つの分離部に沿わない部分が、その一方の端部から他方の端部に向かって当該２つの分離部のうち一方の分離部から徐々に遠ざかるとともに他方の分離部に徐々に近づくように形成されていることを特徴とする。
【００１２】
上記のように構成された本発明においては、分離用切込が複数の分離部の全てを囲むように複数の分離部の辺に沿って形成されているだけの構成であれば、分離用切込には、２つの分離部に沿うことにより分離用切込の内側に突出して折り曲がる辺部が生じることになるため、下シートのうち分離用切込の外側の領域を上シートから剥離していく際、この折り曲がる辺部の角部にて下シートが破れてしまう虞れがあるが、分離用切込の折り曲がる辺部が、少なくともその一部がこの２つの分離部の辺に沿わず、この２つの分離部に沿わない部分がその一方の端部から他方の端部に向かって、２つの分離部のうち一方の分離部から徐々に遠ざかるとともに他方の分離部に徐々に近づくように形成されているので、分離用切込の内側に突出するように折り曲がる辺部にて角部が存在せず、下シートのうち分離用切込の外側の領域を上シートから剥離していく際、下シートが破れてしまうことが回避される。
【発明の効果】
【００１３】
本発明によれば、分離用切込のうち、２つの分離部に沿うことにより分離用切込の内側に突出して折り曲がるべき辺部が、少なくともその一部がその２つの分離部の辺に沿わず、この２つの分離部に沿わない部分がその一方の端部から他方の端部に向かって、２つの分離部のうち一方の分離部から徐々に遠ざかるとともに他方の分離部に徐々に近づくように形成されているため、分離用切込の内側に突出するように折り曲がる辺部にて角部が存在せず、それにより、下シートのうち分離用切込の外側の領域を上シートから剥離していく際、下シートが破れてしまうことが回避され、下シートの分離部に対向する領域を上シートに接着した状態で下シートを上シートから容易に剥離することができる。
【図面の簡単な説明】
【００１４】
【図１】本発明の配送伝票の実施の一形態を示す図であり、（ａ）は外観斜視図、（ｂ）は伝票片の表面の構成を示す図、（ｃ）は伝票片の裏面の構成を示す図、（ｄ）は剥離台紙の構成を示す図である。
【図２】図１に示した配送伝票において剥離台紙の一部を伝票片から剥離する作用を説明するための図であり、（ａ）は配達証と受領証との位置関係を示す図、（ｂ）はスリットが伝票片上の配達証と受領証の全ての辺に沿って形成された本願にて課題として挙げた構成を示す図、（ｃ）は図１に示した剥離台紙の構成を示す図である。
【図３】図１に示した配送伝票において剥離台紙のスリットの外側の領域を剥離していく際の作用を説明するための図であり、（ａ）はスリットの構成を図２（ｂ）に示したものとした場合の作用を説明するための図、（ｃ）はスリットの構成を図１及び図２（ｃ）に示したものとした場合の作用を説明するための図である。
【図４】図１に示した配送伝票が配送物に貼付された後の使用方法を説明するための図である。
【図５】本発明の配送伝票の他の実施の形態を示す図であり、（ａ）は外観斜視図、（ｂ）は伝票片の表面の構成を示す図、（ｃ）は伝票片の裏面の構成を示す図、（ｄ）は剥離台紙の構成を示す図である。
【図６】本発明の配送伝票の他の実施の形態を示す図であり、（ａ）は外観斜視図、（ｂ）は伝票片の表面の構成を示す図、（ｃ）は伝票片の裏面の構成を示す図、（ｄ）は剥離台紙の構成を示す図である。
【図７】本発明の配送伝票の他の実施の形態を示す図であり、（ａ）は外観斜視図、（ｂ）は伝票片の表面の構成を示す図、（ｃ）は伝票片の裏面の構成を示す図、（ｄ）は剥離台紙の構成を示す図である。
【発明を実施するための形態】
【００１５】
以下に、本発明の実施の形態について図面を参照して説明する。
【００１６】
図１は、本発明の配送伝票の実施の一形態を示す図であり、（ａ）は外観斜視図、（ｂ）は伝票片１０の表面の構成を示す図、（ｃ）は伝票片１０の裏面の構成を示す図、（ｄ）は剥離台紙２０の構成を示す図である。なお、図１（ｂ）〜（ｄ）においては、互いの位置関係をわかりやすくするために配送伝票１の表面側から見た図としている。また、図１（ｃ）においては、剥離台紙２０に形成されたスリット２１に対向する位置をスリット対向位置２４として一点鎖線で示し、図１（ｄ）においては、伝票片１０に区画形成された貼付票１１、配達証１２及び受領証１３に対向する位置をそれぞれ、貼付票対向位置１１ａ、配達証対向位置１２ａ及び受領証対向位置１３ａとして破線で示している。
【００１７】
本形態は図１（ａ）に示すように、互いに同一形状である上シートとなる伝票片１０と、下シートとなる剥離台紙２０とが積層されて構成されている。
【００１８】
伝票片１０は図１（ｂ）に示すように、貼付票１１と、分離部となる配達証１２及び受領証１３とのそれぞれが、ミシン目１７ａ〜１７ｃによって伝票片１０から分離可能に区画形成されている。これら貼付票１１、配達証１２及び受領証１３は、貼付票１１と配達証１２とが１辺の一部にて接し、配達証１２と受領証１３とが１辺の一部にて接している。貼付票１１、配達証１２及び受領証１３のそれぞれには、この配送伝票１を用いて配送される配送物の配送先の住所や氏名あるいは名称、品名等の配送情報を印字あるいは記入するための配送情報記入領域１４ａ〜１４ｃが設けられており、配達証１２にはさらに、配送物の配送先にて受領印を押下するための押印領域１５が設けられている。また、配達証１２及び受領証１３のそれぞれには、その角部に切り欠き１６ａ，１６ｂが形成されている。
【００１９】
剥離台紙２０は図１（ｄ）に示すように、伝票片１０上の配達証１２及び受領証１３を囲むように分離用切込となるスリット２１が形成されているとともに、伝票片１０との積層面のうちスリット２１の外側の領域に剥離層４０が積層されており、それにより、スリット２１の外側の領域が伝票片１０から剥離可能となっている。スリット２１は、配達証１２及び受領証１３のそれぞれの２辺に沿い、他の２辺にはその一部のみが沿うように形成されている。
【００２０】
伝票片１０の裏面には、図１（ｃ）に示すように、接着層３０が積層されており、この接着層３０によって伝票片１０と剥離台紙２０とが接着されている。接着層３０は、配達証１２及び受領証１３となる領域については、これら配達証１２及び受領証１３に対向しない領域において、スリット２１の外側に対向する領域と、スリット２１の内側に対向する領域の一部とに積層されている。また、貼付票１１となる領域については、ミシン目１７ａの外側の領域に積層されるとともに、ミシン目１７ａの内側の領域についても点糊状に積層されている。
【００２１】
以下に、上記のように構成された配送伝票１の使用方法について説明する。
【００２２】
まず、剥離台紙２０の一部を伝票片１０から剥離する際の作用について、伝票片上の配達証及び受領証の全ての辺に沿ってスリットが剥離台紙に形成されている場合と、スリットが図１に示したような形状である場合とで比較して説明する。なお、伝票片上の配達証及び受領証の全ての辺に沿ってスリットが剥離台紙に形成されている場合とは、本願にて課題として挙げた構成である。
【００２３】
上記のように構成された配送伝票１は、配送情報記入領域１４ａ〜１４ｃに、この配送伝票１を用いて配送される配送物の配送先の住所や氏名あるいは名称、品名等の配送情報が印字あるいは記入された後、配送物に貼付するために剥離台紙２０の一部を伝票片１０から剥離する必要がある。
【００２４】
図２は、図１に示した配送伝票１において剥離台紙２０の一部を伝票片１０から剥離する作用を説明するための図であり、（ａ）は配達証１２と受領証１３との位置関係を示す図、（ｂ）はスリットが伝票片１０上の配達証１２と受領証１３の全ての辺に沿って形成された本願にて課題として挙げた構成を示す図、（ｃ）は図１に示した剥離台紙２０の構成を示す図である。また、図３は、図１に示した配送伝票１において剥離台紙２０のスリット２１の外側の領域を剥離していく際の作用を説明するための図であり、（ａ）はスリットの構成を図２（ｂ）に示したものとした場合の作用を説明するための図、（ｃ）はスリットの構成を図１及び図２（ｃ）に示したものとした場合の作用を説明するための図である。
【００２５】
図１に示した配送伝票１においては、図２（ａ）に示すように、配達証１２と受領証１３とは、共に四角形の形状を有しており、配達証１２の辺５１ａと受領証１３の辺５１ｂ、配達証１２の辺５２ａと受領証１３の辺５２ｂ、配達証１２の辺５３ａと受領証１３の辺５３ｂ、配達証１２の辺５４ａと受領証１３の辺５４ｂとが、配達証１２と受領証１３のそれぞれにおける配置関係において互いに対応した組を構成している。そして、配達証１２の辺５１ａと受領証１３の辺５１ｂとは、これら辺５１ａ，５１ｂが延びる方向となる図中ｘ方向、並びに、辺５１ａ，５１ｂが延びる方向とは直交する方向となる図中ｙ方向のそれぞれにて互いに重ならないようにずれて形成されている。同様に、配達証１２の辺５２ａと受領証１３の辺５２ｂとは、これら辺５２ａ，５２ｂが延びる方向となる図中ｘ方向、並びに、辺５２ａ，５２ｂが延びる方向とは直交する方向となる図中ｙ方向のそれぞれにて互いに重ならないようにずれて形成されている。
【００２６】
配達証１２と受領証１３とがこのように形成された配送伝票１において、配達証１２の辺５１ａ，５２ａ，５３ａ，５４ａと、受領証１３の辺５１ｂ，５２ｂ，５３ｂ，５４ｂとの全てに沿うように剥離台紙２０ａにスリット２１ａが形成されている場合、図２（ｂ）に示すように、スリット２１ａには、配達証１２の辺５１ａ，５２ａと受領証１３の辺５１ｂ，５２ｂとがそれぞれ上述したように図２（ａ）中ｘｙ方向にずれることでスリット２１ａの内側に突出して折り曲がる辺部２２ａ，２２ｂが生じることになる。
【００２７】
そのため、伝票片１０を配送物に貼付するために剥離台紙２０のうちスリット２１ａの外側の領域を伝票片１０から剥離していくと、図３（ａ）に示すように、この折り曲がる辺部２２ａ，２２ｂの角部２３ａ，２３ｂにて剥離台紙２０ａが図中Ａ方向に破れてしまう虞れがある。
【００２８】
一方、図１に示した配送伝票１においては、図２（ｃ）に示すように、スリット２１のうち、配達証１２の辺５１ａ，５２ａと受領証１３の辺５１ｂ，５２ｂとが図２（ａ）中ｘｙ方向にずれることでスリット２１の内側に突出して折り曲がる辺部２２ａ，２２ｂが、この辺部２２ａ，２２ｂが沿うべきだった配達証１２及び受領証１３の辺５１ｂ，５３ａ，５２ａ，５４ｂに対して、その両端部から所定の長さの部分においては沿っているものの、その他の部分は沿っておらず、この沿っていない部分が受領証１３側の端部から配達証１２側の端部に向かって、受領証１３から徐々に遠ざかるとともに配達証１２に徐々に近づくように配達証１２及び受領証１３側に湾曲した曲線を描いている。
【００２９】
そのため、伝票片１０を配送物に貼付するために剥離台紙２０のうちスリット２１の外側の領域を剥離片として伝票片１０から剥離していく際、図３（ｂ）に示すように、スリット２１には折り曲がる辺部２２ａ，２２ｂに角部が存在せず、それにより、剥離台紙２０が破れてしまうことが回避され、剥離台紙２０の配達証１２及び受領証１３に対向する領域を伝票片１０に接着した状態で剥離台紙２０を伝票片１０から容易に剥離することができる。
【００３０】
このようにして剥離台紙２０のうちスリット２１の外側の領域を剥離片として伝票片１０から剥離すると、伝票片１０のスリット２１の外側に対向する領域に積層された接着層３０が表出する。この際、剥離台紙２０のうちスリット２１の内側の領域は、その一部にて接着層３０によって伝票片１０に接着されているため、伝票片１０から離脱してしまうことがない。
【００３１】
そして、接着層３０が表出した配送伝票１が接着層３０よって配送物に貼付され、配送物が配送先に配送されることになる。
【００３２】
次に、図１に示した配送伝票１が配送物に貼付された後の使用方法について説明する。
【００３３】
図４は、図１に示した配送伝票１が配送物に貼付された後の使用方法を説明するための図である。
【００３４】
上記のようにして剥離台紙２０のうちスリット２１の外側の領域が剥離片として伝票片１０から剥離された配送伝票１は、図４（ａ）に示すように、伝票片１０のスリット２１の外側に対向する領域に積層された接着層３０よって配送物２に貼付される。そして、配送情報記入領域１４ａ〜１４ｃに印字あるいは記入された配送情報に従って配送物２が配送先に配送されていく。
【００３５】
配送物２が配送先に届けられると、配達証１２の押印領域１５に受領印が押下され、図４（ｂ）に示すように、ミシン目１７ｂが破断されることにより伝票片１０から配達証１２が分離される。配達証１２は、その裏面には接着層３０が積層されていないため、ミシン目１７ｂを破断することにより伝票片１０から分離することができる。この際、配達証１２にはその角部に切り欠き１６ａが形成されているため、この切り欠き１６ａを分離開始端とすれば配達証１２を伝票片１０から分離しやすい。
【００３６】
また、この配送物２の配送業者が配送物２の代金を受け取った後、図４（ｃ）に示すように、ミシン目１７ｃが破断されることにより伝票片１０から受領証１３が分離される。受領証１３は、その裏面には接着層３０が積層されていないため、ミシン目１７ｃを破断することにより伝票片１０から分離することができる。この際、受領証１３にはその角部に切り欠き１６ｂが形成されているため、この切り欠き１６ｂを分離開始端とすれば受領証１３を伝票片１０から分離しやすい。
【００３７】
その後、配送伝票１が配送物２のパッケージ部分に貼付されている場合等において、配送物をこのパッケージから取り出した後に、パッケージを配送伝票１が貼付されたままの状態で廃棄する場合、貼付票１１の配送情報記入領域１４ａに印字あるいは記入された配送情報の漏洩あるいは不正使用を防止するために、図４（ｄ）に示すように、ミシン目１７ａが破断されることにより伝票片１０から貼付票１１が分離される。貼付票１１は、その裏面には接着層３０が点糊状に積層されていることにより配送物２に貼付されているものの、その接着力は人手で剥離できる程度のものとなっており、ミシン目１７ａを破断することにより配送物２から容易に剥離することができる。この際、貼付票１１と受領証１３との境界部分においては伝票片１０が剥離台紙２０に接着されていないため、この境界部分に指を入れれば貼付票１１を伝票片１０から分離しやすい。
【００３８】
なお、本形態においては、貼付票１１、配達証１２及び受領証１３がそれぞれ伝票片１０から分離可能に区画形成され、貼付票１１と配達証１２とがその１辺の一部にて互いに接し、配達証１２と受領証１３とがその１辺の一部にて互いに接しており、互いに対応する辺となる、配達証１２の辺５１ａと受領証１３の辺５１ｂ、配達証１２の辺５２ａと受領証１３の辺５２ｂ、配達証１２の辺５３ａと受領証１３の辺５３ｂ、配達証１２の辺５４ａと受領証１３の辺５４ｂとのうち、配達証１２の辺５１ａと受領証１３の辺５１ｂ、配達証１２の辺５２ａと受領証１３の辺５２ｂとが、これら辺５１ａ，５２ａ，５２ａ，５２ｂが延びる方向となる図２（ａ）中ｘ方向、並びに、辺５１ａ，５２ａ，５２ａ，５２ｂが延びる方向とは直交する方向となる図２（ｂ）中ｙ方向のそれぞれにて互いに重ならないようにずれて形成されているものを例に挙げて説明したが、分離部となる構成はこれに限らない。
【００３９】
（他の実施の形態）
図５は、本発明の配送伝票の他の実施の形態を示す図であり、（ａ）は外観斜視図、（ｂ）は伝票片１１０の表面の構成を示す図、（ｃ）は伝票片１１０の裏面の構成を示す図、（ｄ）は剥離台紙１２０の構成を示す図である。なお、図５（ｂ）〜（ｄ）においては、互いの位置関係をわかりやすくするために配送伝票１０１の表面側から見た図としている。また、図５（ｃ）においては、剥離台紙１２０に形成されたスリット１２１に対向する位置をスリット対向位置１２４として一点鎖線で示し、図５（ｄ）においては、伝票片１１０に区画形成された配達証１１２及び受領証１１３に対向する位置をそれぞれ配達証対向位置１１２ａ及び受領証対向位置１１３ａとして破線で示している。
【００４０】
本形態は図５に示すように、図１に示したものに対して、貼付票が伝票片１１０から分離可能に区画形成されておらず、また、配達証１１２と受領証１１３との配置位置が異なるものである。
【００４１】
本形態における伝票片１１０においては、配達証１１２と受領証１１３との大きさが互いに異なり、配達証１１２と受領証１１３とが並ぶ方向に延びる辺の組うち、図中下部の辺は、これら辺が延びる方向にはずれているもののその方向とは直交する方向にずれておらず、図中上部の辺のみが、これら辺が延びる方向及びその方向とは直交する方向にずれている。また、配達証１１２と受領証１１３とは、互いの辺が接していない。また、接着層１３０は、配達証１１２及び受領証１１３に対向しない領域において、スリット１２１の外側に対向する領域と、スリット１２１の内側に対向する領域の一部とに積層されている。
【００４２】
このように構成された伝票片１１０に積層される剥離台紙１２０においては、スリット１２１の辺部のうち、配達証１１２と受領証１１３のそれぞれにおける配置位置にて互いに対応する１組の辺が上述したようにずれることによって折り曲がる１つの辺部のみが図１に示したものと同様の形状となっている。
【００４３】
上記のように構成された配送伝票１０１においても、スリット１２１の辺部のうち、配達証１１２と受領証１１３のそれぞれにおける配置位置にて互いに対応する１組の辺が上述したようにずれることによって折り曲がる１つの辺部が図１に示したものと同様の形状となっていることにより、剥離台紙１２０のうちスリット１２１の外側の領域を伝票片１１０から剥離していく際、剥離台紙１２０が破れてしまうことが回避され、剥離台紙１２０の配達票１１２及び受領証１１３に対向する領域を伝票片１１０に接着した状態で剥離台紙１２０を伝票片１１０から容易に剥離することができる。
【００４４】
図６は、本発明の配送伝票の他の実施の形態を示す図であり、（ａ）は外観斜視図、（ｂ）は伝票片２１０の表面の構成を示す図、（ｃ）は伝票片２１０の裏面の構成を示す図、（ｄ）は剥離台紙２２０の構成を示す図である。なお、図６（ｂ）〜（ｄ）においては、互いの位置関係をわかりやすくするために配送伝票２０１の表面側から見た図としている。また、図６（ｃ）においては、剥離台紙２２０に形成されたスリット２２１に対向する位置をスリット対向位置２２４として一点鎖線で示し、図６（ｄ）においては、伝票片２１０に区画形成された配達証２１２及び受領証２１３に対向する位置をそれぞれ配達証対向位置２１２ａ及び受領証対向位置２１３ａとして破線で示している。
【００４５】
本形態は図６に示すように、図１に示したものに対して、貼付票が伝票片２１０から分離可能に区画形成されておらず、また、配達証２１２と受領証２１３とが、互いの辺が接していない点が異なるものである。また、接着層２３０は、配達証２１２及び受領証２１３に対向しない領域において、スリット２２１の外側に対向する領域と、スリット２２１の内側に対向する領域の一部とに積層されている。
【００４６】
上記のように構成された配送伝票２０１においても、スリット２２１の辺部のうち、配達証２１２と受領証２１３のそれぞれにおける配置位置にて互いに対応する２組の辺が上述したようにずれることによって折り曲がる２つの辺部が図１に示したものと同様の形状となっていることにより、剥離台紙２２０のうちスリット２２１の外側の領域を伝票片２１０から剥離していく際、剥離台紙２２０が破れてしまうことが回避され、剥離台紙２２０の配達票２１２及び受領証２１３に対向する領域を伝票片２１０に接着した状態で剥離台紙２２０を伝票片２１０から容易に剥離することができる。
【００４７】
図７は、本発明の配送伝票の他の実施の形態を示す図であり、（ａ）は外観斜視図、（ｂ）は伝票片３１０の表面の構成を示す図、（ｃ）は伝票片３１０の裏面の構成を示す図、（ｄ）は剥離台紙３２０の構成を示す図である。なお、図７（ｂ）〜（ｄ）においては、互いの位置関係をわかりやすくするために配送伝票３０１の表面側から見た図としている。また、図７（ｃ）においては、剥離台紙３２０に形成されたスリット３２１に対向する位置をスリット対向位置３２４として一点鎖線で示し、図７（ｄ）においては、伝票片３１０に区画形成された配達証３１２及び受領証３１３に対向する位置をそれぞれ配達証対向位置３１２ａ及び受領証対向位置３１３ａとして破線で示している。
【００４８】
本形態は図７に示すように、図６に示したものに対して、スリット３２１の形状のみが異なるものである。本形態におけるスリット３２１は、配達証３１２と受領証３１３のそれぞれにおける配置位置にて互いに対応する辺のうち図中上下部の辺のずれによって折り曲がる２つの辺部が、配達証３１２と受領証３１３の辺に全く沿わずに、その両端部を結ぶ直線となっている。
【００４９】
上記のように構成された配送伝票３０１においても、配達証３１２と受領証３１３のそれぞれにおける配置位置にて互いに対応する辺のうち図中上下部の辺のずれによって折り曲がる２つの辺部がそれぞれ、配達証３１２と受領証３１３のそれぞれの辺に沿わず、受領証３１３側の端部から配達証３１２側の端部に向かって、受領証３１３から徐々に遠ざかるとともに配達証３１２に徐々に近づくように形成されていることにより、スリット３２１には、スリット３２１の内側に突出する角部が存在せず、それにより、剥離台紙３２０のうちスリット３２１の外側の領域を伝票片３１０から剥離していく際、剥離台紙３２０が破れてしまうことが回避され、剥離台紙３２０の配達票３１２及び受領証３１３に対向する領域が伝票片３１０に接着された状態で剥離台紙３２０を伝票片３１０から容易に剥離することができる。
【００５０】
なお、上述した実施の形態においては、配達証１２，１１２，２１２，３１２及び受領証１３，１１３，２１３，３１３がそれぞれ分離部となって伝票片１０，１１０，２１０，３１０から分離可能に区画形成されているが、２つの分離部のそれぞれにおける配置位置にて互いに対応する辺の組のうち少なくとも１組の辺が、その辺が延びる方向及びその方向に直交する方向にて互いに重ならないようにずれて形成されたものであれば、スリットが分離部の全ての辺に沿うように形成された場合に、上記同様にスリットの内側に突出して折り曲がる辺部が存在することになるため、分離部の数は２つに限らず複数であればよい。
【符号の説明】
【００５１】
１，１０１，２０１，３０１    配送伝票
２    配送物
１０，１１０，２１０，３１０    伝票片
１１    貼付票
１１ａ    貼付票対向位置
１２，１１２，２１２，３１２    配達証
１２ａ，１１２ａ，２１２ａ，３１２ａ    配達証対向位置
１３，１１３，２１３，３１３    受領証
１３ａ，１１３ａ，２１３ａ，３１３ａ    受領証対向位置
１４ａ〜１４ｃ，１１４ａ〜１１４ｃ，２１４ａ〜２１４ｃ，３１４ａ〜３１４ｃ    配送情報記入領域
１５，１１５，２１５，３１５    押印領域
１６ａ，１６ｂ，１１６ａ，１１６ｂ，２１６ａ，２１６ｂ，３１６ａ，３１６ｂ    切り欠き
１７ａ〜１７ｃ，１１７ｂ，１１７ｃ，２１７ｂ，２１７ｃ，３１７ｂ，３１７ｃ    ミシン目
２０，２０ａ，１２０，２２０，３２０    剥離台紙
２１，２１ａ，１２１，２２１，３２１    スリット
２２ａ，２２ｂ    辺部
２３ａ，２３ｂ    角部
２４，１２４，２２４，３２４    スリット対向位置
３０，１３０，２３０，３３０    接着層
４０，１４０，２４０，３４０    剥離層
５１ａ，５１ｂ，５２ａ，５２ｂ，５３ａ，５３ｂ，５４ａ，５４ｂ    辺
【図１】
2014140999.tif 000003
【図２】
2014140999.tif 000004
【図３】
2014140999.tif 000005
【図４】
2014140999.tif 000006
【図５】
2014140999.tif 000007
【図６】
2014140999.tif 000008
【図７】
2014140999.tif 000009